(57)【要約】【課題】信号が劣化しないようにする。【解決手段】フェライトコア１０上に、３つに分割されたコイル部１１を巻回する。そして、第１の分割コイル１１ａには並列に抵抗Ｒ１を接続し、第３の分割コイル１１ｃに並列に抵抗Ｒ２を接続する。これにより、信号帯域内にノッチ特性が現れなくなり、信号の劣化を防止することができる。【選択図】　図１
2004063550.tif 000002
【特許請求の範囲】
【請求項１】
フェライトコア上にコイルを複数に分割して巻回したチョークコイルであって、
一端子に接続されている分割コイルに並列に接続される第１の抵抗と、
他端子に接続されている分割コイルに並列に接続される第２の抵抗と、
を備えることを特徴とするチョークコイル。
【請求項２】
上記コイルが３分割されて前記フェライトコア上に巻回されていることを特徴とする請求項１記載のチョークコイル。
【請求項３】
前記第１の抵抗が並列接続される第１分割コイルの巻数が３ターンとされ、前記第２の抵抗が並列接続される第３分割コイルの巻数が４ターンとされ、前記第１分割コイルと前記第３分割コイルの間に位置する第２分割コイルの巻数が２ターンとされていることを特徴とする請求項２記載のチョークコイル。
【発明の詳細な説明】
【０００１】
【発明が属する技術分野】
本発明は、電源供給電流を通過させるためのチョークコイルに関し、ＣＡＴＶシステムに適用して好適なものである。
【０００２】
【従来の技術】
ＣＡＴＶシステム等においては、電源を消費する機器の電源を離れた場所に設置して、ＣＡＴＶ信号を伝送する信号線を利用して、機器に電源を供給することが行われている。この場合に、電源を消費する機器と電源との間に位置するデバイスは電源供給電流を通過させる必要がある。電源供給電流を通過させる分岐器を例に上げて説明すると、図４に示すように分岐器の回路は構成されている。このような分岐器において、入力端子ＩＮに入力されたＣＡＴＶ信号は直列に接続されている直流カットコンデンサＣ１，Ｃ２を介して出力端子ＯＵＴに出力される。また、直列に接続されている直流カットコンデンサＣ１，Ｃ３を介して分岐信号が分岐端子ＢＲから出力される。そして、入力端子ＩＮから出力端子ＯＵＴへ、あるいは、出力端子ＯＵＴから入力端子ＩＮへ電源供給電流を通過させるために、入力端子ＩＮと出力端子ＯＵＴとの間に電流通過回路１００が接続される。この電流通過回路１００は一般にチョークコイルにより実現されている。
【０００３】
【発明が解決しようとする課題】
電流通過回路１００とされるチョークコイルは、最近においては大きな電流を通過させる要求が多くなり、定格を超えてチョークコイルを使用した場合、ハム変調妨害が発生するようになる。またチョークコイルに流れる電流が増すと、電流値の２乗に比例して発熱するようになる。そして、発熱によりチョークコイルにおけるフェライトコアの温度がキュリー点を超えるとチョークコイルとして機能しなくなる。このため、チョークコイルの巻線を太くし、太めのフェライトコアを使用する必要がある。しかし、このようにすると巻線間の接触や近接面積が大きくなるために浮遊容量成分が増加するようになり、この結果自己共振周波数が低域に現れやすくなってしまうことになる。自己共振周波数が低域に現れると、高周波回路へのアイソレーションが劣化し、高周波信号が減衰を受けるようになり、レベル変動や信号エラー等の悪影響を与えてしまうようになる。
【０００４】
従来のチョークコイルの構成の一例を図５に示す。
図５に示すチョークコイル１０１は、フェライトコア１１０上に２分割したコイル部１１１が巻回されて構成されている。この場合、巻数として１０ターンの巻数が必要な場合は第１の分割コイル１１１ａの巻数が６ターン、第２の分割コイル１１１ｂの巻数が４ターンとされている。このようなチョークコイル１０１を図４に示す電流通過回路１００として用いた際の、図４に示す分岐器の挿入損失の周波数特性を図７に示す。図７を参照すると、３３０ＭＨｚと１３００ＭＨｚ近辺に挿入損失が増加するノッチ特性が現れている。この場合、３３０ＭＨｚは帯域内であり、３３０ＭＨｚを含む周波数帯域の伝送チャンネルでは、同一チャンネル内にレベル差が生じ、画像・音声劣化や信号エラーが発生する恐れがある。また、１３００ＭＨｚは帯域外ではあるが、挿入損失が極端に増加している。
【０００５】
このような問題を解決するようにした従来のチョークコイルの一例を図６に示す。
図６に示すチョークコイル１０１は、フェライトコア１１０上に２分割したコイル部１１１が巻回されて構成されている。この場合、巻数として１０ターンの巻数が必要な場合は第１の分割コイル１１１ａの巻数が６ターン、第２の分割コイル１１１ｂの巻数が４ターンとされている。そして、第１の分割コイル１１１ａには並列に抵抗Ｒ１００が接続されている。このようなチョークコイル１０１を図４に示す電流通過回路１００として用いた際の、図４に示す分岐器の挿入損失の周波数特性を図８に示す。図８を参照すると、程度は低くなっているが３３０ＭＨｚと１３００ＭＨｚ近辺に挿入損失が増加するノッチ特性が現れている。従って、３３０ＭＨｚを含む周波数帯域の伝送チャンネルでは、同一チャンネル内にレベル差が生じ、画像・音声劣化や信号エラーが発生する恐れがある。
【０００６】
そこで、本発明は信号が劣化しないようにしたチョークコイルを提供することを目的としている。
【０００７】
【課題を解決するための手段】
上記目的を達成するために本発明のチョークコイルは、コイルを複数に分割してフェライトコア上に巻回し、両はじの分割コイルにそれぞれ並列に抵抗を接続するようにしている。これにより、帯域内にノッチ特性が現れることを防止することができる。従って、信号が劣化しないようになることからＣＡＴＶシステムに適用した際に、画像・音声劣化や信号エラーが発生しないようになる。
【０００８】
【発明の実施の形態】
本発明のチョークコイルの実施の形態の構成例を図１に示す。
図１に示す本発明にかかるチョークコイル１は、フェライトコア１０上に３分割されたコイル部１１が巻回されて構成されている。この場合、巻数として９ターンの巻数が必要な場合は第１の分割コイル１１ａの巻数が３ターン、第２の分割コイル１１ｂの巻数が２ターン、第３の分割コイル１１ｃの巻数が４ターンとされている。そして、第１の分割コイル１１ａには並列に抵抗Ｒ１が接続されており、第３の分割コイル１１ｃには並列に抵抗Ｒ２が接続されている。抵抗Ｒ１，Ｒ２は、例えば１ｋΩとされている。
【０００９】
図１に示すチョークコイル１の等価回路を図２に示す。図２に示すように、チョークコイル１は、一端子１２と他端子１３との間に第１の分割コイル１１ａ（Ｌ１）、第２の分割コイル１１ｂ（Ｌ２）、第３の分割コイル１１ｃ（Ｌ３）が直列に接続されている。そして、第１の分割コイル１１ａ（Ｌ１）に抵抗Ｒ１が並列接続されており、第３の分割コイル１１ｃ（Ｌ３）に抵抗Ｒ２が並列接続されている。これにより、高周波的に一端子１２から見たインピーダンスと、他端子から見たインピーダンスは、Ｌ１およびＬ３によるインピーダンスが極めて高くなることから抵抗Ｒ１および抵抗Ｒ２により支配されるようになる。すなわち、抵抗Ｒ１，Ｒ２を第１の分割コイル１１ａと第３の分割コイル１１ｃに並列に接続することにより、入力端子および出力端子とされる一端子１２および他端子１３のインピーダンスをほぼ同じインピーダンスとすることができる。この結果、本発明にかかるチョークコイル１を、入力端子と出力端子間に電流通過回路として接続した機器の周波数特性を向上させることができる。
【００１０】
ここで、本発明にかかるチョークコイル１を図４に示す電流通過回路１００として用いた際の、図４に示す分岐器の挿入損失の周波数特性を図３に示す。図３を参照すると、１２５０ＭＨｚ近辺に挿入損失が増加するノッチ特性が現れている。しかしながら、１２５０ＭＨｚは帯域外であり、信号チャンネルの周波数帯域ではノッチ特性は現れておらず、画像・音声劣化や信号エラーが発生することを防止することができる。
【００１１】
ところで、本発明にかかるチョークコイル１では、コイル部１１の巻線を太くすると共に、太めのフェライトコア１０が使用されており、許容電流容量を従来よりも増加するようにしている。このため、巻線間の接触や近接面積が大きくなるために浮遊容量成分が増加するようになるが、第１の分割コイル１１ａ（Ｌ１）、第２の分割コイル１１ｂ（Ｌ２）、第３の分割コイル１１ｃ（Ｌ３）に３分割して巻回するようにしている。さらに加えて、両はじの分割コイル１１ａ、１１ｃに並列に抵抗Ｒ１，Ｒ２を接続するようにしたため、チョークコイル１における自己共振周波数が低域において発生しにくくされている。
【００１２】
なお、抵抗Ｒ１，Ｒ２は１ｋΩとしたが、これに限るものではなくチョークコイル１を適用する機器のインピーダンスに合わせて選定することができる。また、第１の分割コイル１１ａの巻数が３ターン、第２の分割コイル１１ｂの巻数が２ターン、第３の分割コイル１１ｃの巻数が４ターンとしたが、これに限るものではなく、通過させる伝送帯域に応じて各分割コイルのターン数を選定することができる。
【００１３】
【発明の効果】
本発明は以上説明したように、コイルを複数に分割してフェライトコア上に巻回し、両はじの分割コイルに並列に抵抗をそれぞれ接続するようにしている。これにより、帯域内にノッチ特性が現れることを防止することができる。従って、信号が劣化しないようになることからＣＡＴＶシステムに適用した際に、画像・音声劣化や信号エラーが発生しないようになる。
【図面の簡単な説明】
【図１】本発明のチョークコイルの実施の形態の構成例を示す図である。
【図２】本発明の実施の形態のチョークコイルの等価回路を示す図である。
【図３】本発明の実施の形態のチョークコイルを適用した分岐器における挿入損失の周波数特性を示す図である。
【図４】分岐回路の構成例を示す図である。
【図５】従来のチョークコイルの構成を示す図である。
【図６】従来のチョークコイルの他の構成を示す図である。
【図７】図５に示すチョークコイルを適用した分岐器における挿入損失の周波数特性を示す図である。
【図８】図６に示すチョークコイルを適用した分岐器における挿入損失の周波数特性を示す図である。
【符号の説明】
１　チョークコイル、１０　フェライトコア、１１　コイル部、１１ａ　第１の分割コイル、１１ｂ　第２の分割コイル、１１ｃ　第３の分割コイル、１２　一端子、１３　他端子、１００　電流通過回路、１０１　チョークコイル、１１０フェライトコア、１１１　コイル部、第１の１１１ａ　分割コイル、１１１ｂ第２の分割コイル、ＢＲ　分岐端子、Ｃ１，Ｃ２，Ｃ３　直流カットコンデンサ、ＩＮ　入力端子、ＯＵＴ　出力端子、Ｒ１，Ｒ２　抵抗、Ｒ１００　抵抗
【図１】
2004063550.tif 000003
【図２】
2004063550.tif 000004
【図３】
2004063550.tif 000005
【図４】
2004063550.tif 000006
【図５】
2004063550.tif 000007
【図６】
2004063550.tif 000008
【図７】
2004063550.tif 000009
【図８】
2004063550.tif 000010